(57)【要約】【課題】撮影範囲内に複数箇所の特定反射面又は特定散乱空間が存在している場合に、各特定反射面又は特定散乱空間で反射又は散乱した特定反射散乱光を効果的に除去すること。【解決手段】偏光装置２であって、複数のブロックに分割され、該各ブロックは互いに透過偏光方向が異なる複数の部分偏光膜にさらに分割される偏光膜４と、上記ブロックごとに、該ブロックを構成する上記各部分偏光膜の通過光の光量を制御する制御装置７と、を含むことを特徴とする。【選択図】図１
2008096461.tif 000002
【特許請求の範囲】
【請求項１】
複数のブロックに分割され、該各ブロックは互いに透過偏光方向が異なる複数の部分偏光膜にさらに分割される偏光膜と、
前記ブロックごとに、該ブロックを構成する前記各部分偏光膜の通過光の光量を制御する制御手段と、
を含むことを特徴とする偏光装置。
【請求項２】
請求項１に記載の偏光装置において、
当該偏光装置は、
前記通過光の光軸方向に前記偏光膜と並んで設置される通過光制御用偏光膜と、
所定の制御に応じて、前記各部分偏光膜を通過した前記通過光の偏光方向を該部分偏光膜ごとに変更し、前記通過光制御用偏光膜に入射する偏光方向変更手段と、
をさらに含み、
前記制御手段は、前記部分偏光膜ごとに、該各部分偏光膜の透過変更方向と、前記通過光制御用偏光膜のうち該各部分偏光膜を通過した前記通過光が入射される部分の透過偏光方向と、に応じた変更量の偏光方向変更を施すよう前記偏光方向偏光手段を制御することにより、前記各部分偏光膜の通過光の光量を制御する、
ことを特徴とする偏光装置。
【請求項３】
請求項２に記載の偏光装置において、
前記偏光方向変更手段は、互いに対向し、対向面に溝を有する２枚の配向膜と、その間に設置される液晶と、により構成され、
前記制御手段は、前記各配向膜の間に印加する電圧を前記各部分偏光膜に対応する部分ごとに制御することにより、前記偏光方向偏光手段を制御する、
ことを特徴とする偏光装置。
【請求項４】
請求項１から３までのいずれかに記載の偏光装置において、
当該偏光装置は、
前記ブロックごとに、該ブロックを構成する前記各部分偏光膜の透過偏光方向ごとの透過率の指示入力を受け付ける透過偏光方向指示入力受付手段、
をさらに含み、
前記制御手段は、前記透過偏光方向指示入力受付手段により受け付けられた前記指示入力に応じて、前記ブロックごとに前記各部分偏光膜の通過光の光量を制御する、
ことを特徴とする偏光装置。
【請求項５】
偏光膜を有し、該偏光膜は複数のブロックに分割され、前記各ブロックはさらに互いに透過偏光方向が異なる複数の部分偏光膜に分割され、前記各部分偏光膜の通過光の光量は前記部分偏光膜ごとに制御可能であることを特徴とする偏光フィルタ。
【請求項６】
複数のブロックに分割され、該各ブロックは互いに透過偏光方向が異なる複数の部分偏光膜にさらに分割される偏光膜について、前記ブロックごとに、該ブロックを構成する前記各部分偏光膜の通過光の光量を制御する制御手段、
を含むことを特徴とする制御装置。
【請求項７】
複数のブロックに分割され、該各ブロックは互いに透過偏光方向が異なる複数の部分偏光膜にさらに分割される偏光膜について、前記ブロックごとに、該ブロックを構成する前記各部分偏光膜の通過光の光量を制御する制御手段、
としてコンピュータを機能させるためのプログラム。
【発明の詳細な説明】
【技術分野】
【０００１】
本発明は、偏光装置、偏光フィルタ、制御装置、及びプログラムに関する。
【背景技術】
【０００２】
スチールカメラやテレビカメラなどのカメラを用いて写真撮影やビデオ撮影を行う際には、ガラス面や水面などの特定反射面で反射した光や、空などの特定散乱空間で散乱した光（以下、特定反射散乱光と総称する。）が明るすぎ、撮影結果に悪影響を及ぼすことがある。そこで、従来、特定反射散乱光のみを効果的に除去するために、偏光フィルタが用いられる。
【０００３】
偏光フィルタは、特定方向に直線偏光した光のみを透過させる光学フィルタである。以下では、この特定方向を透過偏光方向と称する。一般に、特定反射散乱光以外の光は直線偏光していない（言い換えれば、あらゆる方向に均等に直線偏光しており）のに対し、特定反射散乱光は特定方向（この特定方向を特定反射散乱光の偏光方向という。）に直線偏光した成分を、他の方向に直線偏光した成分に比べ、多く含んでいる。このため、透過偏光方向と特定反射散乱光の偏光方向とを一致させないようにした状態の偏光フィルタを通して撮影を行えば、特定反射散乱光の明るさに対する、特定反射散乱光以外の光の明るさの割合が大きくなり、視覚的には、特定反射散乱光のみが効果的に除去されることとなるのである。
【０００４】
なお、特定反射散乱光の偏光方向は任意であるので、撮影の都度、偏光フィルタの向きを調節し、透過偏光方向と特定反射散乱光の偏光方向とを一致させないようにする必要がある。このため一般に、偏光フィルタは、カメラへの光の入射方向を回転軸として回転可能に取り付けられている（例えば、特許文献１及び特許文献２参照。）。
【特許文献１】特開２０００−２５０１１５号公報
【特許文献２】特開平１１−２１８７９９号公報
【発明の開示】
【発明が解決しようとする課題】
【０００５】
しかしながら、撮影範囲内に存在する特定反射面や特定散乱空間は一箇所であるとは限らない。複数箇所の特定反射面又は特定散乱空間が撮影範囲内に存在する場合、特定反射散乱光の偏光方向は特定反射面又は特定散乱空間ごとに異なるのが一般的であるが、上記偏光フィルタは全面で一様な透過偏光方向を有しているため、特定反射散乱光を効果的に除去できない場合がある。
【０００６】
なお、立体表示用ディスプレイの技術分野では、２方向の透過偏光方向を有する偏光フィルタと偏光メガネとを用いて立体視を実現する技術があり、上記問題を解決するために、この偏光フィルタを用いることも考えられる。しかしながら、この技術は、左眼用の画像と右眼用の画像とを偏光方向の違いにより多重化させるものであり、偏光フィルタは１ドット縦ラインごとに左眼用の透過偏光方向のものと右眼用の透過偏光方向のものとが交互に並んだものとなっている。このような偏光フィルタを用いたとしても、撮影範囲内に複数箇所の特定反射面又は特定散乱空間が存在している場合に、各特定反射面又は特定散乱空間で反射又は散乱した特定反射散乱光を効果的に除去することは、やはり困難である。
【０００７】
従って、本発明の課題の一つは、撮影範囲内に複数箇所の特定反射面又は特定散乱空間が存在している場合に、各特定反射面又は特定散乱空間で反射又は散乱した特定反射散乱光を効果的に除去することのできる偏光装置、偏光フィルタ、制御装置、及びプログラムを提供することにある。
【課題を解決するための手段】
【０００８】
上記課題を解決するための本発明にかかる偏光装置は、複数のブロックに分割され、該各ブロックは互いに透過偏光方向が異なる複数の部分偏光膜にさらに分割される偏光膜と、前記ブロックごとに、該ブロックを構成する前記各部分偏光膜の通過光の光量を制御する制御手段と、を含むことを特徴とする。
【０００９】
これによれば、偏光膜が複数ブロックに分割され、しかもブロックごとに、該ブロックを構成する各部分偏光膜の通過光の光量を制御しているので、ブロック単位で局所的に透過偏光方向を変化させることができ、撮影範囲内に複数箇所の特定反射面又は特定散乱空間が存在している場合に、各特定反射面又は特定散乱空間で反射又は散乱した特定反射散乱光を効果的に除去することが可能となる。
【００１０】
さらに、この偏光装置において、当該偏光装置は、前記通過光の光軸方向に前記偏光膜と並んで設置される通過光制御用偏光膜と、所定の制御に応じて、前記各部分偏光膜を通過した前記通過光の偏光方向を該部分偏光膜ごとに変更し、前記通過光制御用偏光膜に入射する偏光方向変更手段と、を含み、前記制御手段は、前記部分偏光膜ごとに、該各部分偏光膜の透過変更方向と、前記通過光制御用偏光膜のうち該各部分偏光膜を通過した前記通過光が入射される部分の透過偏光方向と、に応じた変更量の偏光方向変更を施すよう前記偏光方向偏光手段を制御することにより、前記各部分偏光膜の通過光の光量を制御する、こととしてもよい。
【００１１】
偏光膜を通過した通過光の偏光方向と、該通過光が入射される通過光制御用偏光膜の部分の透過偏光方向と、の組み合わせによって、通過光の通過光制御用偏光膜の透過率が決まる。上記偏光装置によれば、部分偏光膜ごとに、該各部分偏光膜の透過変更方向と、通過光制御用偏光膜のうち該各部分偏光膜を通過した通過光が入射される部分の透過偏光方向とに応じた変更量の偏光方向変更を通過光に施すので、通過光の通過光制御用偏光膜の透過率を部分偏光膜ごとに制御することができる。すなわち、ブロック単位で各偏光成分の光量を制御することができる。
【００１２】
さらに、この偏光装置において、前記偏光方向変更手段は、互いに対向し、対向面に溝を有する２枚の配向膜と、その間に設置される液晶と、により構成され、前記制御手段は、前記各配向膜の間に印加する電圧を前記各部分偏光膜に対応する部分ごとに制御することにより、前記偏光方向偏光手段を制御する、こととしてもよい。
【００１３】
配向膜間に設置された液晶は、配向膜の間に電圧が印加されていない状態では、各配向膜の溝の向きの相違に応じて、ねじれて配置される。そして、この状態の液晶を通過する光は、このねじれに応じた偏光量の偏光方向変更を受ける。一方、各配向膜の間に十分大きな電圧が印加されると、このねじれは解消される。この状態の液晶を通過する光は偏光方向変更を受けない。すなわち、配向膜間の印加電圧によって、偏光方向変更手段を通過する光の偏光方向を制御できる。上記偏光装置によれば、制御手段は、各配向膜の間に印加する電圧を制御しているので、印加電圧に応じた変更量の偏光方向変更を与えるよう、偏光方向偏光手段を制御することができる。
【００１４】
また、上記各偏光装置において、当該偏光装置は、前記ブロックごとに、該ブロックを構成する前記各部分偏光膜の透過偏光方向ごとの透過率の指示入力を受け付ける透過偏光方向指示入力受付手段、をさらに含み、前記制御手段は、前記透過偏光方向指示入力受付手段により受け付けられた前記指示入力に応じて、前記ブロックごとに前記各部分偏光膜の通過光の光量を制御する、こととしてもよい。
【００１５】
これによれば、例えば撮影者は、ブロックごとに、透過偏光方向ごとの透過率を指示することが可能となる。
【００１６】
また、本発明にかかる偏光フィルタは、偏光膜を有し、該偏光膜は複数のブロックに分割され、前記各ブロックはさらに互いに透過偏光方向が異なる複数の部分偏光膜に分割され、前記各部分偏光膜の通過光の光量は前記部分偏光膜ごとに制御可能であることを特徴とする。
【００１７】
また、本発明にかかる制御装置は、複数のブロックに分割され、該各ブロックは互いに透過偏光方向が異なる複数の部分偏光膜にさらに分割される偏光膜について、前記ブロックごとに、該ブロックを構成する前記各部分偏光膜の通過光の光量を制御する制御手段、を含むことを特徴とする。
【００１８】
また、本発明にかかるプログラムは、複数のブロックに分割され、該各ブロックは互いに透過偏光方向が異なる複数の部分偏光膜にさらに分割される偏光膜について、前記ブロックごとに、該ブロックを構成する前記各部分偏光膜の通過光の光量を制御する制御手段、としてコンピュータを機能させるためのプログラムである。
【発明の効果】
【００１９】
撮影範囲内に複数箇所の特定反射面又は特定散乱空間が存在している場合に、各特定反射面又は特定散乱空間で反射又は散乱した特定反射散乱光を効果的に除去することが可能となる。
【発明を実施するための最良の形態】
【００２０】
本発明の実施の形態について、図面を参照しながら説明する。
【００２１】
図１は、本実施形態の構成例を示す概念図である。同図に示すように、本実施形態では、ビデオカメラ１及び偏光装置２が用いられる。
【００２２】
ビデオカメラ１は、本実施の形態にかかる撮影に使用するビデオカメラである。ここでは、ビデオカメラ１はレンズ、ＣＣＤ(Charge Coupled Device：電荷結合素子)イメージセンサ、及びメモリを備えるデジタルビデオカメラである。すなわち、ビデオカメラ１は、レンズを通して入射した光をＣＣＤイメージセンサにより電気信号に変え、連続する複数の画像情報（映像情報）としてメモリに記憶する。
【００２３】
撮影者は、後述する偏光フィルタ３を装着した状態で、ビデオカメラ１による撮影を行う。本実施形態では特に、ビデオカメラ１は固定設置され、同じ方向を常時撮影する。具体的には、テレビ局が使用するお天気カメラのようなものである。
【００２４】
偏光装置２は、偏光フィルタ３及び制御装置７を含んで構成される。
【００２５】
偏光フィルタ３は、偏光膜４と、偏光方向変更部５と、通過光制御用偏光膜６と、をこの順で積層してなる偏光フィルタである。偏光フィルタ３の全体形状は、ビデオカメラ１のレンズに応じた形状（通常は円形）であってもよいし、ビデオカメラ１に備えられるＣＣＤイメージセンサの形状に応じた形状（通常は矩形）であってもよい。この偏光フィルタ３は、ビデオカメラ１の光路上の任意の位置に、被写界側に偏光膜４を向けて装着した状態で用いられる。具体的には、レンズの前方又は後方に、機械的に装着され得る。また、光路上に備えられる絞り羽根の前方もしくは後方に内蔵することにより装着されることも可能である。
【００２６】
以下、偏光フィルタ３について、詳細に説明する。図２は、偏光フィルタ３の内部構成を示す斜視図である。同図に示すように、偏光フィルタ３は、偏光膜４、透明電極５１、配向膜５２、液晶５３、配向膜５４、透明電極５５、及び通過光制御用偏光膜６により構成される。なお、同図では分かりやすさのためにこれらの各構成要素を離して記載しているが、実際には隣接する各要素は密着している。これらの各構成要素のうち、透明電極５１、配向膜５２、液晶５３、配向膜５４、及び透明電極５５は、偏光方向変更部５を構成する。このような構成は、ＴＮ(Twisted Nematic)型液晶ディスプレイに用いられる偏光フィルタと類似したものである。その他にも、偏光フィルタ３としては、偏光膜を利用した透過型のものであればいかなるものでも用いることができる。例えば、ＳＴＮ(Super Twisted Nematic)型液晶ディスプレイに用いるものと類似した構造を有するものも、偏光フィルタ３として用いることができる。
【００２７】
偏光膜４は、当該偏光膜４を通過する光波の振動を所定方向（透過偏光方向）に制限する。この偏光膜４は複数のブロックに分割されている。図１及び図２では、このブロックの１つを太い実線で示している。偏光膜４の各ブロックは、互いに透過偏光方向が異なる複数の部分偏光膜にさらに分割されている。図２では、この部分偏光膜の１つを太い一点鎖線で示している。また、同図中、偏光膜４上の点線は、透過偏光方向を示している。図２には、透過偏光方向が同じである部分偏光膜が図面上下方向に整列して配置されている偏光膜４の例を示しており、このような部分偏光膜の配置を、以下では縦縞配置と称する。なお、部分偏光膜の配置は、縦縞配置でなければならないわけではなく、横縞配置や、格子配置となるようにしても構わない。これらの具体的な例については後述する。
【００２８】
通過光制御用偏光膜６は、偏光膜４と同様、当該通過光制御用偏光膜６を通過する光波の振動を所定方向（透過偏光方向）に制限する。通過光制御用偏光膜６は、偏光膜４の各ブロックにそれぞれ対応する複数のブロック対応部分に分割されている。また、通過光制御用偏光膜６の各ブロック対応部分は、偏光膜４の各部分偏光膜にそれぞれ対応する複数の部分偏光膜対応部分に分割されている。
【００２９】
通過光制御用偏光膜６は、偏光膜４の通過光の光軸方向に、該偏光膜４と並んで設置される。具体的には、偏光膜４と通過光制御用偏光膜６とは、ある部分偏光膜を通過した光が、対応する部分偏光膜対応部分に入射されるよう、配置されている。また、通過光制御用偏光膜６の部分偏光膜対応部分の透過偏光方向は、対応する部分偏光膜の透過偏光方向と、後述する偏光方向変更部５の偏光方向変更量の最大値と、に基づき決定される。本実施形態では、偏光方向変更量の最大値を９０度としており（後述）、通過光制御用偏光膜６の部分偏光膜対応部分の透過偏光方向は、対応する部分偏光膜の透過偏光方向と９０度ずれている。
【００３０】
偏光方向変更部５は、所定の制御に応じて、偏光膜４の各部分偏光膜を通過した通過光の偏光方向を該部分偏光膜ごとに変更し、通過光制御用偏光膜６に入射する。以下、具体的に説明する。
【００３１】
透明電極５１及び透明電極５５は、両透明電極間に任意の電圧（電位差）を印加することができるよう構成される。透明電極５１及び透明電極５５の材料には、透明度の高い材料（通過光をほとんど遮蔽しない材料）が用いられる。透明電極５１も、偏光膜４の各ブロックにそれぞれ対応する複数のブロック対応部分に分割され、各ブロック対応部分はさらに偏光膜４の各部分偏光膜にそれぞれ対応する複数の部分偏光膜対応部分に分割されている。透明電極５１と透明電極５５は、両透明電極間への印加電圧を、部分偏光膜対応部分単位で制御可能に構成される。
【００３２】
配向膜５２及び配向膜５４は、任意の方向に微細な溝が設けられてなるポリイミド膜である。配向膜５２と配向膜５４とは互いに対向しており、上記溝は対向面に設けられている。配向膜５２及び配向膜５４も、偏光膜４の各ブロックにそれぞれ対応する複数のブロック対応部分に分割され、各ブロック対応部分はさらに偏光膜４の各部分偏光膜にそれぞれ対応する複数の部分偏光膜対応部分に分割されている。本実施形態では、配向膜５２の部分偏光膜対応部分に設けられる溝の方向は、偏光膜４の透過偏光方向と同じ方向となっている。一方、配向膜５４の部分偏光膜対応部分に設けられる溝の方向は、通過光制御用偏光膜６の透過偏光方向と同じ方向となっている。
【００３３】
液晶５３は、多数の液晶分子から構成されている。この液晶分子は、一方向に長く他方向に短い形状をしており、透明電極５１と透明電極５５の間に電圧を印加していない状態では、配向膜５２及び配向膜５４に設けられる溝の方向にその長手方向が沿った状態で整列する性質を有する。本実施形態では、配向膜５２の溝の方向と配向膜５４の溝の方向とが異なっているため、液晶分子は、配向膜５２から配向膜５４にかけて徐々にその向きを変えつつ整列する（以下、このような整列状態をねじれ整列状態という。）。一方、透明電極５１と透明電極５５の間に十分大きな電圧を印加すると、液晶分子は、その長手方向が電気力線に沿った状態で整列する（以下、このような整列状態を直線整列状態という。）。
【００３４】
偏光膜４、透明電極５１、配向膜５２を通過した光の偏光方向は、液晶分子の向きに応じて変更される。具体的には、液晶５３がねじれ整列状態にあるとき、上記光の偏光方向は、配向膜５２の溝の方向と配向膜５４の溝の方向のなす角度（以下、ねじれ角度と称する。以下、このねじれ角度を９０度とする。）の分だけ変更される。この場合、上記光は通過光制御用偏光膜６を通過し、ＣＣＤイメージセンサに到達する。一方、液晶５３が直線整列状態にあるとき、上記光の偏光方向は変更されない。この場合、上記光は通過光制御用偏光膜６を通過できず、ＣＣＤイメージセンサに到達しない。
【００３５】
なお、液晶５３は、透明電極５１と透明電極５５の間に印加する電圧の大きさによっては、ねじれ整列状態と直線整列状態の中間状態を取りうる。この場合、上記光の偏光方向は０度以上ねじれ角度（＝９０度）以下の間で変更される。すなわち、偏光方向変更部５の偏光方向変更量の最大値はねじれ角度となる。
【００３６】
偏光方向変更部５は、以上のような各構成要素の性質を利用し、部分偏光膜ごとの印加電圧制御により、各部分偏光膜を通過した通過光の偏光方向を該部分偏光膜ごとに変更する。その結果、透明電極５１と透明電極５５の間に印加する部分偏光膜ごとの電圧の大きさに応じ、上記光の通過光制御用偏光膜６の透過率は、部分偏光膜ごとに０％から１００％の間で推移する。ただし、０％や１００％の値は理想的なものであって、実際には、ねじれ整列状態と直線整列状態の間で、通過光制御用偏光膜６の透過率の比（コントラスト比）がある程度以上大きければ十分である。具体的な例では、１００倍以上のコントラスト比があればよい。
【００３７】
ここで、偏光膜４における部分偏光膜の配置について、具体的な例を挙げて説明する。上述のように、偏光膜４は、縦縞配置、横縞配置、格子配置など種々の配置を取り得る。図３は縦縞配置の例、図４は横縞配置の例、図５は格子配置の例、をそれぞれ示している。これらの各図では、ブロックの１つを太い実線で、部分偏光膜の１つを太い一点鎖線で、それぞれ示している。また、透過偏光方向を矢印付の実線で示している。
【００３８】
図３に示す縦縞配置の例では、透過偏光方向が図面縦方向（垂直方向）の部分偏光膜と、透過偏光方向が図面横方向（水平方向）の部分偏光膜と、を図面左右方向に隣接して並べて１つのブロックとし、各ブロックを格子状に配置している。なお、この例では各部分偏光膜を長辺：短辺＝２：１の長方形とし、各ブロックを正方形としているが、部分偏光膜及びブロックの形状は適宜変更し得る。
【００３９】
図４に示す横縞配置の例では、透過偏光方向が図面縦方向（垂直方向）の部分偏光膜と、透過偏光方向が図面横方向（水平方向）の部分偏光膜と、を図面上下方向に隣接して並べて１つのブロックとし、各ブロックを格子状に配置している。なお、この例でも各部分偏光膜を長辺：短辺＝２：１の長方形とし、各ブロックを正方形としているが、部分偏光膜及びブロックの形状は適宜変更し得る。
【００４０】
図５に示す格子配置の例では、透過偏光方向が図面縦方向（垂直方向）の部分偏光膜と、該透過偏光方向に対し、それぞれ４５度、９０度（水平方向）、１３５度傾いた透過偏光方向を有する３つの部分偏光膜と、を格子状に並べて１つのブロックとし、各ブロックを格子状に配置している。なお、この例では各部分偏光膜を正方形とし、各ブロックも正方形としているが、部分偏光膜及びブロックの形状は適宜変更し得る。また、ブロック内での各部分偏光膜の並べ方も適宜変更し得る。
【００４１】
次に、制御装置７（図１）について説明する。制御装置７は、図１に示すように、機能的にパターン設定部８及び制御部９を含んで構成される。
【００４２】
パターン設定部８は、マウス、ペンタブレット、タッチパネルのような座標入力デバイスやキーボードにより構成される入力手段と、ディスプレイのような出力手段と、を含んで構成される。ここでは特に、ディスプレイ上にタッチパネルを備えたタッチスクリーンＡを含んでいるものとして説明する。
【００４３】
制御部９は、ケーブル又は無線により、偏光方向変更部５の透明電極５１及び透明電極５５と電気的に接続されており、パターン設定部８においてされるユーザの入力操作に応じて透明電極５１と透明電極５５の間に印加する電圧を制御することにより、上記ブロックごとに、該ブロックを構成する各部分偏光膜の通過光の光量を制御する。
【００４４】
すなわち、ビデオカメラ１で撮影される映像は、例えば図６のようなものである。同図は風景を遠景で撮影して得られる撮影結果の例を示す図であり、その中には地面、水面、ガラス面（以上、上記特定反射面）、及び空（特定散乱空間）が含まれる。これらの各特定反射面及び特定散乱空間で反射又は散乱されてなる各特定反射散乱光の偏光方向は、一般に互いに異なる。このため、偏光膜４の位置ごとに、除去すべき特定反射散乱光の偏光方向が異なっている。このような特定反射散乱光を効果的に除去するため、制御部９は、ブロックごとに、該ブロックを構成する各部分偏光膜の通過光の光量を制御する。
【００４５】
以下、パターン設定部８及び制御部９における処理の詳細について説明する。
【００４６】
制御部９は、部分偏光膜ごとに、該各部分偏光膜の透過変更方向と、通過光制御用偏光膜６のうち該各部分偏光膜対応部分の透過偏光方向と、に応じた変更量の偏光方向変更を施すよう偏光方向変更部５を制御することにより、各部分偏光膜の通過光の光量を制御する。具体的には、制御部９は、透明電極５１と透明電極５５の間に印加する電圧（配向膜５２と配向膜５４の間に印加する電圧）を部分偏光膜対応部分ごとに制御することにより、偏光方向変更部５を制御する。
【００４７】
より具体的な例では、パターン設定部８は、上記ブロックごとに、該ブロックを構成する各部分偏光膜の透過偏光方向ごとの透過率の指示入力を受け付ける。そして、制御部９は、パターン設定部８により受け付けられた上記指示入力に応じて、上記ブロックごとに各部分偏光膜の通過光の光量を制御する。以下、この例について詳細に説明する。
【００４８】
図７は、パターン設定部８の内部構成を示す概略ブロック図である。同図に示すように、パターン設定部８は、入出力処理部８１、メモリ８２、入力部８３、出力部８４を含んで構成される。
【００４９】
入力部８３は、タッチスクリーンＡを構成するタッチパネルである。一方、出力部８４は、タッチスクリーンＡを構成するディスプレイである。
【００５０】
メモリ８２は、偏光膜４のブロック配置を示す画像情報を記憶している。また、各ブロックに含まれる各部分偏光膜の透過偏光方向を示す透過偏光方向情報を記憶している。
【００５１】
入出力処理部８１は、メモリ８２から上記画像情報を読み出し、出力部８４に表示させる。また、メモリ８２から上記透過偏光方向情報も読み出し、ユーザが、ブロックごとに、上記透過偏光方向情報により示される透過偏光方向ごとの透過率を指示できるよう、該指示の入力のための操作を案内する操作案内情報を出力部８４に表示させる。
【００５２】
ユーザは、上記操作案内情報に従い、ブロックごとに、透過偏光方向ごとの透過率の指示を入力部８３に入力する。この場合において、ユーザは、スタイラスＢを用いることが好適である。
【００５３】
具体的な例では、ユーザは、まずタッチスクリーンＡに表示されるブロック配置を示す画像上において、透過偏光方向ごとの透過率を指示したいブロックを示す部分をタッチする。そして、タッチしたブロックに関し、操作案内情報に基づき、透過偏光方向ごとの透過率を指示する。こうしてユーザは、ブロックごとに、上記透過偏光方向情報により示される透過偏光方向ごとの透過率を指示を入力する。
【００５４】
また、別の例では、ユーザは、操作案内情報に基づき、まず透過偏光方向とその透過率を指定する。そして、該透過偏光方向の透過率を指定したものとしたいブロックを指示する。このようにしても、ユーザは、ブロックごとに、上記透過偏光方向情報により示される透過偏光方向ごとの透過率を指示を入力することができる。
【００５５】
入力部８３は、以上のようにして入力された指示を受け付け、入出力処理部８１に出力する。
【００５６】
ここで、ユーザによる指示入力の具体的な態様について、例を挙げて説明する。表１は、図３に示す縦縞配置を採る偏光膜４を使用した場合の例である。表１及び図３に示すように、この例では、透過偏光方向情報により示される透過偏光方向は垂直方向と水平方向の２種類である。ユーザは、ブロックごとに、垂直方向に偏光する光（垂直偏光）の透過率と、水平方向に偏光する光（水平偏光）の透過率と、をそれぞれ指示する。表１には、指示され得る垂直偏光透過率と水平偏光透過率の組み合わせの例を１２通り表示している。もちろん、他にも様々な組み合わせが考えられる。
【００５７】
【表１】
2008096461.tif 000003
【００５８】
表２は、図５に示す格子配置を採る偏光膜４を使用した場合の例である。表２及び図５に示すように、この例では、透過偏光方向情報により示される透過偏光方向は垂直方向、４５度方向、水平方向、１３５度方向の４種類である。ユーザは、ブロックごとに、各方向に偏光する光の透過率をそれぞれ指示する。表２には、指示され得る透過率の組み合わせの例を５通り表示している。もちろん、他にも様々な組み合わせが考えられる。
【００５９】
【表２】
2008096461.tif 000004
【００６０】
入出力処理部８１は、入力部８３から入力された上記指示入力の内容を示す指示入力内容情報を、一旦メモリ５２に格納する。具体的な例では、この指示入力内容情報は、偏光膜４上における各ブロックの位置を示す情報（例えば座標）と、該各ブロックについての透過偏光方向ごとの透過率と、を対応付ける情報である。なお、偏光膜４上における各部分偏光膜の位置を示す情報（例えば座標）と、該部分偏光膜についての透過率と、を対応付ける情報を指示入力内容情報として用いてもよい。入出力処理部８１は、メモリ５２に格納した指示入力内容情報に基づき、ブロックごとに透過偏光方向ごとの透過率を示すパターン情報を生成し、生成したパターン情報を制御部９に入力する。
【００６１】
制御部９は、入出力処理部８１から入力された上記パターン情報に応じて、上記ブロックごとに、各部分偏光膜の通過光の光量を制御する。例えば表１の例において、パターン情報により、あるブロックについて、垂直偏光透過率及び水平偏光透過率がそれぞれ７５％及び２５％であることが示される場合、制御部９は、このブロックを構成する２つの部分偏光膜のうち、その透過偏光方向が垂直方向である部分偏光膜の通過光の光量が７５％となるよう、透明電極５１の該部分偏光膜に対応する部分偏光膜部分と、透明電極５５の該部分偏光膜に対応する部分偏光膜部分と、の間に印加する電圧を制御する。同様に、このブロックを構成する２つの部分偏光膜のうち、その透過偏光方向が水平方向である部分偏光膜の通過光の光量が２５％となるよう、透明電極５１の該部分偏光膜に対応する部分偏光膜部分と、透明電極５５の該部分偏光膜に対応する部分偏光膜部分と、の間に印加する電圧を制御する。この制御の結果、ＣＣＤイメージセンサには、垂直偏光が水平偏光に対し優勢である偏光状態を有する光が到達することになる。また、ＣＣＤイメージセンサに到達する光の光量と、偏光フィルタ３に入力される光の光量と、の比（全透過率）は、１／２×７５％＋１／２×２５％＝５０％となる。表１には、指示される垂直偏光透過率と水平方向透過率の組み合わせごとに、ＣＣＤイメージセンサに到達する光の偏光状態と、全透過率と、が示されている。
【００６２】
なお、上記例では透過偏光方向ごとの透過率を任意の値に設定可能な例を説明したが、より簡易な構成とするために、ブロックごとに、該ブロックを構成する各部分偏光膜のうち、いずれか１つのみ又は全ての透過率を１００％、他の透過率を０％、とする指示のみを許容することとしてもよい。
【００６３】
このようにする場合、入出力処理部８１は、ユーザが、ブロックごとに、上記透過偏光方向情報により示される各透過偏光方向のうちの１つの選択を指示できるよう、該指示の入力するための操作を案内する操作案内情報を出力部８４に表示させる。
【００６４】
より具体的な例では、入出力処理部８１は、ブロックごとに１の偏光方向を示す矢印画像を出力部８４に表示させる。そして、入力部８３において受け付けられるユーザの操作に応じて該矢印画像の向きを変更可能若しくは該矢印画像を消去可能とすることにより、ユーザに、上記透過偏光方向情報により示される各透過偏光方向のうちの１つの選択の指示、又はいずれの透過偏光方向も選択しない旨の指示（全偏光の指示）を入力させる。
【００６５】
図８は、この指示入力の例を示す図である。この例は、図３に示す縦縞配置を採る偏光膜４を使用した場合の例である。同図では、黒地で示した部分偏光膜は透過率０％であり、白地で示した部分偏光膜は透過率１００％であることを示している。この例では、ユーザは、図面上半分の各ブロックについて、水平方向の透過偏光方向の選択を指示している。一方、図面下半分の各ブロックについて、垂直方向の透過偏光方向の選択を指示している。
【００６６】
図９は、図６に示した撮影結果に対応する指示入力の例を示す図である。この例は、図５に示す格子配置を採る偏光膜４を使用した場合の例である。この例では、ユーザは、水面に対応するブロックについて、垂直方向の透過偏光方向の選択を指示する。同様に、空に対応するブロックについて、垂直方向に比べ１３５度傾いた方向の透過偏光方向の選択を指示する。また、ガラス面に対応するブロックについて、水平方向の透過偏光方向の選択を指示する。一方、地面に対応するブロックについては、透過偏光方向の選択を指示しない（すなわち、全偏光を指示する。）。
【００６７】
入出力処理部８１は、ユーザの指示に基づき、ブロックごとに、特定の透過偏光方向若しくは全偏光を示すパターン情報を生成し、制御部９に入力する。
【００６８】
制御部９は、入出力処理部８１から入力された上記パターン情報に応じて、上記ブロックごとに、各部分偏光膜の通過光の光量を制御する。具体的には、特定の透過偏光方向が示されるブロックについては、該ブロックを構成する各部分偏光膜のうち、該透過偏光方向を有する部分偏光膜の通過光のみがＣＣＤイメージセンサに到達するよう、透明電極５１の各部分偏光膜にそれぞれ対応する各部分偏光膜部分と、該各部分偏光部分にそれぞれ対応する透明電極５５の各部分偏光膜部分と、の間に印加する電圧を制御する。一方、全偏光が示されるブロックについては、該ブロックを構成する複数の部分偏光膜全てについて、その通過光がＣＣＤイメージセンサに到達するよう、透明電極５１の各部分偏光膜にそれぞれ対応する各部分偏光膜部分と、該各部分偏光部分にそれぞれ対応する透明電極５５の各部分偏光膜部分と、の間に印加する電圧を制御する。この制御の結果、図８や図９に示したように、ユーザが特定の透過偏光方向の選択を指示したブロックについて、ブロックごとに、特定の方向に偏光した光のみがＣＣＤイメージセンサに到達し、撮影結果に現れることとなる。
【００６９】
以上説明したように、偏光装置２によれば、偏光膜４が複数ブロックに分割され、しかもブロックごとに、該ブロックを構成する各部分偏光膜の通過光の光量を制御しているので、ブロック単位で局所的に透過偏光方向を変化させることができ、撮影範囲内に複数箇所の特定反射面又は特定散乱空間が存在している場合に、各特定反射面又は特定散乱空間で反射又は散乱した特定反射散乱光を効果的に除去することが可能となる。
【００７０】
また、制御装置７は、偏光膜４の部分偏光膜ごとに、該各部分偏光膜の透過変更方向と、通過光制御用偏光膜６のうち該各部分偏光膜を通過した通過光が入射される部分の透過偏光方向とに応じた変更量の偏光方向変更を通過光に施すことにより、通過光の通過光制御用偏光膜６の透過率を部分偏光膜ごとに制御することができる。
【００７１】
さらに、制御装置７は、配向膜５２と配向膜５４の間に印加する電圧を制御しているので、印加電圧に応じた変更量の偏光方向変更を与えるよう、偏光方向変更部５を制御することができる。
【００７２】
また、例えば撮影者は、ブロックごとに、透過偏光方向ごとの透過率を指示することが可能となる。
【００７３】
なお、制御装置７の機能を実現するためのプログラムをコンピュータ読み取り可能な記録媒体に記録して、この記録媒体に記録されたプログラムをコンピュータシステムに読み込ませ、実行することにより、上記制御装置７の各処理を行ってもよい。
【００７４】
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
【００７５】
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７６】
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
【００７７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７８】
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【００７９】
なお、本発明は上記実施の形態に限定されるものではない。例えば、上記実施形態ではＣＣＤイメージセンサを備えるビデオカメラ１を使用する例について説明したが、本発明は、ＣＣＤイメージセンサに代えてＣＭＯＳ(Complementary Metal Oxide Semiconductor)イメージセンサや撮像管など種々のイメージセンサを使用したり、ビデオカメラに代えてスチルカメラを使用する場合についても適用可能である。この場合のスチルカメラとしては、ディジタル式や銀塩式など、種々の種類のカメラを使用可能である。
【図面の簡単な説明】
【００８０】
【図１】本発明の実施の形態の構成例を示す概念図である。
【図２】本発明の実施の形態にかかる偏光フィルタの内部構成を示す斜視図である。
【図３】本発明の実施の形態にかかる偏光膜において、部分偏光膜を縦縞配置した例を示す図である。
【図４】本発明の実施の形態にかかる偏光膜において、部分偏光膜を横縞配置した例を示す図である。
【図５】本発明の実施の形態にかかる偏光膜において、部分偏光膜を格子配置した例を示す図である。
【図６】風景を遠景で撮影して得られる撮影結果の例を示す図である。
【図７】本発明の実施の形態にかかるパターン設定部の内部構成を示す概略ブロック図である。
【図８】本発明の実施の形態にかかる入力部においてユーザが入力する指示の例を示す図である。
【図９】本発明の実施の形態にかかる入力部においてユーザが入力する指示の例を示す図である。
【符号の説明】
【００８１】
１  ビデオカメラ、
２  偏光装置、
３  偏光フィルタ、
４  偏光膜、
５  偏光方向変更部、
６  通過光制御用偏光膜、
７  制御装置、
８  パターン設定部、
９  制御部、
５１，５５  透明電極、
５２，５４  配向膜、
５３  液晶、
８１  入出力処理部、
８２  メモリ、
８３  入力部、
８４  出力部。
【図１】
2008096461.tif 000005
【図２】
2008096461.tif 000006
【図３】
2008096461.tif 000007
【図４】
2008096461.tif 000008
【図５】
2008096461.tif 000009
【図６】
2008096461.tif 000010
【図７】
2008096461.tif 000011
【図８】
2008096461.tif 000012
【図９】
2008096461.tif 000013